(57)【要約】【課題】機器の取り付け構造において、機器の設置場所が曲面であっても、設置場所の形状に沿わせることができ、見栄えを向上させることが可能な技術を提供する。【解決手段】機器の取り付け構造は、設置場所の形状に沿って変形可能なブラケット変形部を少なくとも一部に有し、前記設置場所に接して固定されるブラケットと、前記ブラケットに接続されて機器を支持する台座と、前記ブラケット変形部の変形に従って変形可能なカバー変形部を少なくとも一部に有し、前記カバー変形部によって前記ブラケット変形部を覆って配置されるカバーと、を備える。【選択図】図５
2020020459.tif 000002
【特許請求の範囲】
【請求項１】
機器を所定の設置場所に取り付けて支持する機器の取り付け構造において、
前記設置場所の形状に沿って変形可能なブラケット変形部を少なくとも一部に有し、前記設置場所に接して固定されるブラケットと、
前記ブラケットに接続されて前記機器を支持する台座と、
前記ブラケット変形部の変形に従って変形可能なカバー変形部を少なくとも一部に有し、前記カバー変形部によって前記ブラケット変形部を覆って配置されるカバーと、
を備える機器の取り付け構造。
【請求項２】
前記カバーは、外側に向かって延びる爪部を有し、
前記台座と前記ブラケットとの間に、前記爪部の少なくとも一部を収容する収容部が設けられ、
前記爪部は、前記収容部に挿入され、前記台座と前記ブラケットとの間で挟持される請求項１に記載の機器の取り付け構造。
【請求項３】
前記爪部は、前記台座に向かって突出する凸部を有する請求項２に記載の機器の取り付け構造。
【請求項４】
前記台座は、前記爪部の延伸方向と直交する方向に延びる第１突起部を有し、
前記カバーは、前記第１突起部が挿入される孔部を有する請求項２または請求項３に記載の機器の取り付け構造。
【請求項５】
前記カバーは、前記爪部の延伸方向と平行な方向に延び、前記ブラケットの端部が挿入される凹部を有する請求項２〜請求項４のいずれかに記載の機器の取り付け構造。
【請求項６】
前記台座は、前記爪部の延伸方向と平行な方向に延び、前記カバーと前記ブラケットとの間であって、前記カバーに隣接して配置される第２突起部を有する請求項２〜請求項５のいずれかに記載の機器の取り付け構造。
【請求項７】
機器を所定の設置場所に取り付ける機器の取り付け方法であって、
前記機器を支持する台座が接続され、前記設置場所の形状に沿って変形可能なブラケット変形部を少なくとも一部に有するブラケットを、前記設置場所に固定する工程と、
前記ブラケット変形部の変形に従って変形可能なカバー変形部を少なくとも一部に有するカバーを、前記カバー変形部によって前記ブラケット変形部を覆って配置する工程と、
を含み、さらに、
前記カバーを配置する工程では、
前記カバーの外側に向かって延びる爪部を、前記台座と前記ブラケットとの間に挿入し、
前記爪部の延伸方向と直交する方向に延びる前記台座の第１突起部を、前記カバーの孔部に挿入し、
前記ブラケットの端部を、前記爪部の延伸方向と平行な方向に延びる前記カバーの凹部に挿入する機器の取り付け方法。
【請求項８】
前記爪部の延伸方向と平行な方向に延びて先端に傾斜部を有する前記台座の第２突起部を、前記カバーと前記ブラケットとの間に、前記カバーに隣接して配置する請求項７に記載の機器の取り付け方法。
【発明の詳細な説明】
【技術分野】
【０００１】
本発明は、機器の取り付け構造及び機器の取り付け方法に関する。
【背景技術】
【０００２】
機器を所定の設置場所に取り付ける機器の取り付け構造に係る技術が種々提案されている。例えば、特許文献１及び２で提案されたテレビジョン受像機及び表示装置はそれぞれ、表示部の支持スタンドを備える。これらの支持スタンドは、例えば机上や床上に載置される板状のベース部（台座部）と、これを覆うカバーと、を有する。これらの支持スタンドは、ベース部（台座部）によって表示部をしっかりと支持することができ、且つカバーによって好適な見栄えを得ることが可能である。
【先行技術文献】
【特許文献】
【０００３】
【特許文献１】特開２００６−３０４０７９号公報
【特許文献２】特開２００７−２０６２７８号公報
【発明の概要】
【発明が解決しようとする課題】
【０００４】
しかしながら、特許文献１及び２で提案された従来技術では、機器の設置場所が曲面である場合、ベース部（台座部）及びカバーと、設置面との間に隙間が生じ、見栄えが悪くなることが課題であった。
【０００５】
本発明は、上記の課題に鑑みなされたものであり、機器の取り付け構造及び機器の取り付け方法において、機器の設置場所が曲面であっても、設置場所の形状に沿わせることができ、見栄えを向上させることが可能な技術を提供することを目的とする。
【課題を解決するための手段】
【０００６】
本発明に係る機器の取り付け構造は、機器を所定の設置場所に取り付けて支持する機器の取り付け構造であって、前記設置場所の形状に沿って変形可能なブラケット変形部を少なくとも一部に有し、前記設置場所に接して固定されるブラケットと、前記ブラケットに接続されて前記機器を支持する台座と、前記ブラケット変形部の変形に従って変形可能なカバー変形部を少なくとも一部に有し、前記カバー変形部によって前記ブラケット変形部を覆って配置されるカバーと、を備える構成（第１の構成）である。
【０００７】
また、上記第１の構成の機器の取り付け構造において、前記カバーは、外側に向かって延びる爪部を有し、前記台座と前記ブラケットとの間に、前記爪部の少なくとも一部を収容する収容部が設けられ、前記爪部は、前記収容部に挿入され、前記台座と前記ブラケットとの間で挟持される構成（第２の構成）であっても良い。
【０００８】
また、上記第２の構成の機器の取り付け構造において、前記爪部は、前記台座に向かって突出する凸部を有する構成（第３の構成）であっても良い。
【０００９】
また、上記第２または第３の構成の機器の取り付け構造において、前記台座は、前記爪部の延伸方向と直交する方向に延びる第１突起部を有し、前記カバーは、前記第１突起部が挿入される孔部を有する構成（第４の構成）であっても良い。
【００１０】
また、上記第２から第４の構成の機器の取り付け構造において、前記カバーは、前記爪部の延伸方向と平行な方向に延び、前記ブラケットの端部が挿入される凹部を有する構成（第５の構成）であっても良い。
【００１１】
また、上記第２から第５の構成の機器の取り付け構造において、前記台座は、前記爪部の延伸方向と平行な方向に延び、前記カバーと前記ブラケットとの間であって、前記カバーに隣接して配置される第２突起部を有する構成（第６の構成）であっても良い。
【００１２】
本発明に係る機器の取り付け方法は、機器を所定の設置場所に取り付ける機器の取り付け方法であって、前記機器を支持する台座が接続され、前記設置場所の形状に沿って変形可能なブラケット変形部を少なくとも一部に有するブラケットを、前記設置場所に固定する工程と、前記ブラケット変形部の変形に従って変形可能なカバー変形部を少なくとも一部に有するカバーを、前記カバー変形部によって前記ブラケット変形部を覆って配置する工程と、を含む。さらに、前記カバーを配置する工程では、前記カバーの外側に向かって延びる爪部を、前記台座と前記ブラケットとの間に挿入し、前記爪部の延伸方向と直交する方向に延びる前記台座の第１突起部を、前記カバーの孔部に挿入し、前記ブラケットの端部を、前記爪部の延伸方向と平行な方向に延びる前記カバーの凹部に挿入する構成（第７の構成）である。
【００１３】
また、上記第７の構成の機器の取り付け方法において、前記爪部の延伸方向と平行な方向に延びて先端に傾斜部を有する前記台座の第２突起部を、前記カバーと前記ブラケットとの間に、前記カバーに隣接して配置する構成（第８の構成）であっても良い。
【発明の効果】
【００１４】
本発明の構成によれば、ブラケットが設置場所の形状に沿って固定され、さらにカバーがブラケットの変形に従ってブラケットを覆う。したがって、機器の取り付け構造及び機器の取り付け方法において、機器の設置場所が曲面であっても、設置場所の形状に沿わせることができ、見栄えを向上させることが可能になる。
【図面の簡単な説明】
【００１５】
【図１】実施形態の機器の取り付け構造の一例を示す外観斜視図
【図２】機器の取り付け構造の上面図
【図３】機器の取り付け構造の側面図
【図４】機器の取り付け構造の下面図
【図５】機器の取り付け構造の分解上面図
【図６】機器の取り付け構造のカバーの斜視図
【図７】図４に示す機器の取り付け構造のVII−VII線における垂直断面図
【図８】図７に示す機器の取り付け構造のVIII部の詳細図
【図９】カバーの爪部を示す部分上面図
【図１０】図４に示す機器の取り付け構造のX−X線における垂直断面図
【図１１】図１０に示す機器の取り付け構造のXI部の詳細図
【図１２】図４に示す機器の取り付け構造のXII−XII線における垂直断面図
【図１３】図４に示す機器の取り付け構造のXIII−XIII線における垂直断面図
【図１４】図１３に示す機器の取り付け構造のXIV−XIV線における垂直断面図
【発明を実施するための形態】
【００１６】
以下、本発明の例示的な実施形態について、図面を参照しながら詳細に説明する。なお、本発明は以下の内容に限定されるものではない。
【００１７】
＜１．機器の取り付け構造の概略＞
図１は、実施形態の機器の取り付け構造１の一例を示す外観斜視図である。図２は、機器の取り付け構造１の上面図である。図３は、機器の取り付け構造１の側面図である。図４は、機器の取り付け構造１の下面図である。
【００１８】
本書では、説明の便宜上、図１及び図３における上下方向が、設置状態にある機器の取り付け構造１の上下方向であるとして各部の形状及び位置関係を説明する。なお、この上下方向の定義が機器の取り付け構造１の使用時の向き及び位置関係を限定するものではない。すなわち、図３に示す設置面Ｆが水平面ではなく、垂直面、傾斜面であっても良い。さらに、機器の取り付け構造１を構造物の下面にぶら下げる状態で設置しても良い。
【００１９】
機器の取り付け構造１は機器Ｅを所定の設置場所に取り付けて支持する。機器Ｅとしては特に限定されないが、例えばスピーカー、カメラ、ディスプレイ（表示装置）などである。これらの機器Ｅは車載装置であって良い。すなわち、機器Ｅは、例えば車室内で使用されるドライブレコーダー、ＥＴＣ（Electronic Toll Collection System）装置などの車載装置を含む。機器Ｅが車載装置である場合、機器Ｅの設置場所としては、例えば車室内のダッシュボード上面などであって良い。なお、機器ＥはケーブルＥｃを有する。機器ＥはケーブルＥｃを介して、電力の供給を受け、さらに情報の授受を行う。
【００２０】
機器の取り付け構造１は上方から見て円形の外形を有する円盤状に構成される。機器の取り付け構造１の上面は上方から見た中央部が上方に向かって凸となる湾曲面で構成される。機器の取り付け構造１は、ブラケット２と、台座３と、カバー４と、を有する。
【００２１】
ブラケット２は機器の取り付け構造１の下部に配置される。ブラケット２は設置場所の設置面Ｆと対向し、設置面Ｆの表面に沿って延びる板状である。ブラケット２は、例えば金属材料で構成される。ブラケット２は固定部材５を介して、設置面Ｆに接して固定される。固定部材５は、例えばシート状の両面テープであるが、接着剤等であっても良い。
【００２２】
台座３及びカバー４はそれぞれ、ブラケット２の上方に配置される。機器の取り付け構造１の上部を横方向に二分する一方の構造体が台座３であり、他方の構造体がカバー４である。台座３と、カバー４とは互いに横方向に隣接して配置される。台座３の上面及びカバー４の上面は上方に向かって凸となる湾曲面で構成される。台座３の下部、及び台座３のカバー４との境界部３ａは開口する。カバー４の下部、及びカバー４の台座３との境界部４ａは開口する。台座３と、カバー４との境界部３ａ、４ａは上方から見て円弧状である。
【００２３】
台座３は、例えば硬質の樹脂材料で構成される。台座３は接続部材６を介して、ブラケット２の上面に接続される。接続部材６は、例えばネジであるが、接着剤等であっても良い。台座３は支持部３１を有する。支持部３１は台座３の上面に配置され、例えば上方から見て円形である。台座３には機器Ｅが取り付けられる。すなわち、台座３は支持部３１を介して、機器Ｅを支持する。
【００２４】
カバー４は切り欠き部４１を有する。切り欠き部４１は、例えばカバー４の外周縁の中央部に配置される。切り欠き部４１にはカバー４の内部から外部に向かって延びるケーブルＥｃが配置される。
【００２５】
＜２．機器の取り付け構造の詳細＞
図５は、機器の取り付け構造１の分解上面図である。図６は、機器の取り付け構造１のカバー４の斜視図である。
【００２６】
ブラケット２は、図４及び図５に示すブラケット変形部２１を有する。ブラケット変形部２１はカバー４の下方の領域に配置される。ブラケット変形部２１は複数の小片部２１ａを備える。複数の小片部２１ａは、ブラケット変形部２１がカバー４側の外縁部の周方向に関して分割されることで構成される。複数の小片部２１ａはそれぞれ、台座３側からカバー４側の外縁部に向かって延びる。複数の小片部２１ａはそれぞれ、個別に独立して設置場所の設置面Ｆの形状に沿って変形する。
【００２７】
なお、ブラケット変形部２１はブラケット２の全体に設けても良いし、一部に設けても良い。すなわち、ブラケット２は設置場所の設置面Ｆの形状に沿って変形可能なブラケット変形部２１を少なくとも一部に有する。
【００２８】
カバー４はカバー変形部４２を有する。カバー変形部４２はカバー４の全体に設けても良いし、一部に設けても良い。本実施形態では、カバー変形部４２はカバー４の全体に設けられる。カバー変形部４２、すなわち本実施形態のカバー４の全体は、例えば弾性材料で構成される。カバー変形部４２はブラケット変形部２１の変形に従って変形可能である。すなわち、カバー４はブラケット変形部２１の変形に従って変形可能なカバー変形部４２を少なくとも一部に有する。
【００２９】
カバー４はカバー変形部４２によってブラケット変形部２１を覆って配置される。また、カバー４は自身の弾性力を利用して、ブラケット２の上面に着脱可能に配置される。
【００３０】
上記実施形態の構成によれば、機器の取り付け構造１は、ブラケット２が設置場所の設置面Ｆの形状に沿って固定され、さらにカバー４がブラケット２の変形に従ってブラケット２を覆う。したがって、機器の取り付け構造１は機器Ｅの設置場所が曲面であっても、設置場所の形状に沿わせることができ、見栄えを向上させることが可能になる。
【００３１】
カバー４は、図５及び図６に示す爪部４３を有する。爪部４３はカバー４の台座３との境界部４ａの両端それぞれに配置される。２つの爪部４３は機器の取り付け構造１の中央部に関して互いに対向する。爪部４３はカバー４の境界部４ａから外側に向かって延びる。より詳細には、爪部４３は台座３に向かって延びる。
【００３２】
図７は、図４に示す機器の取り付け構造１のVII−VII線における垂直断面図である。図８は、図７に示す機器の取り付け構造１のVIII部の詳細図である。
【００３３】
機器の取り付け構造１は、図７及び図８に示す爪部４３の収容部７を有する。収容部７は台座３のカバー４との境界部３ａに隣接し、境界部３ａの両端それぞれに配置される。収容部７は台座３とブラケット２との間に設けられる。収容部７は境界部３ａから台座３の内部に向かって延びる凹状に構成される。
【００３４】
爪部４３は、内側部４３ａと、外側部４３ｂと、を有する。内側部４３ａはブラケット２の上面２ａの上に隣接して配置され、台座３の外縁部よりも内側に位置する。外側部４３ｂは、台座３の外縁部の下面３ｂの下に隣接して配置され、ブラケット２の外縁部よりも外側に位置する。２つの爪部４３の内側部４３ａはそれぞれ、２つの収容部７に個別に挿入される。すなわち、収容部７は爪部４３の少なくとも一部を収容する。
【００３５】
なお、爪部４３が台座３に向かって延びる方向、すなわち図５における上下方向が、爪部４３の延伸方向である。カバー４を機器の取り付け構造１に装着する際、爪部４３は、爪部４３の延伸方向に沿って収容部７に挿入される。収容部７に挿入された爪部４３は台座３とブラケット２との間で挟持される。
【００３６】
この構成によれば、爪部４３の箇所において、カバー４の上下方向における位置決めを行うことができる。これにより、台座３とカバー４との境界部３ａ、４ａの両端において、カバー４と台座３との間に上下方向に段差が生じることを抑制することができる。したがって、見栄えを向上させることが可能になる。また、ブラケット２が設置場所の形状に沿って変形しても、爪部４３が収容部７から抜けることを抑制することができる。これにより、機器の取り付け構造１からのカバー４の脱落を抑制することが可能になる。
【００３７】
図９は、カバー４の爪部４３を示す部分上面図である。爪部４３は、図９に示す凸部４３ｃを有する。凸部４３ｃは爪部４３の内側部４３ａの外周面であって、外側部４３ｂの上方に配置される。本実施形態では、凸部４３ｃは複数が周方向に並べて配置されるが、単数であっても良い。凸部４３ｃは横方向に台座３の内面３ｃと対向し、台座３に向かって突出する。本実施形態では、凸部４３ｃは上下方向に延びるリブ形状であるが、例えば台座３に向かって突出する半球形状であっても良い。
【００３８】
この構成によれば、爪部４３の箇所において、上方から見て円形の機器の取り付け構造１の径方向におけるカバー４の位置決めを行うことができる。これにより、台座３とカバー４との境界部３ａ、４ａの両端において、カバー４と台座３との間に当該径方向に段差が生じることを抑制することができる。したがって、見栄えを向上させることが可能になる。
【００３９】
図１０は、図４に示す機器の取り付け構造１のX−X線における垂直断面図である。図１１は、図１０に示す機器の取り付け構造１のXI部の詳細図である。
【００４０】
台座３は、図１０及び図１１に示す第１突起部３２を有する。第１突起部３２は、図５に示すように、カバー４との境界部３ａの中央部であって、境界部３ａよりも内側に配置される。第１突起部３２は台座３の内部天井部から下方に向かって延びる。すなわち、第１突起部３２は爪部４３の延伸方向（横方向）と直交する方向に延びる。第１突起部３２は板状である。
【００４１】
カバー４は、図５、図１０及び図１１に示す突出部４４を有する。突出部４４は、台座３との境界部４ａの中央部であって、境界部４ａよりも外側に配置される。突出部４４はカバー４の境界部４ａから台座３側に向かって突出する。突出部４４は台座３の下方に配置される。突出部４４は板状である。
【００４２】
突出部４４は孔部４５を有する。孔部４５は突出部４４を上下方向に貫通する。孔部４５には台座３の第１突起部３２が挿入される。すなわち、カバー４は第１突起部３２が挿入される孔部４５を有する。
【００４３】
この構成によれば、カバー４の台座３との境界部４ａの中央部において、台座３に接近、離間する方向におけるカバー４の位置決めを行うことができる。これにより、機器の取り付け構造１の上方から見た中央部において、カバー４と台座３との間に隙間が生じることを抑制することができる。さらに、カバー４の台座３との境界部４ａの中央部において、カバー４が上方に変位することを抑制することができる。これにより、機器の取り付け構造１の上方から見た中央部において、カバー４と台座３との間に上下方向に段差が生じることを抑制することができる。したがって、見栄えを向上させることが可能になる。さらに、機器の取り付け構造１からのカバー４の脱落を抑制することが可能になる。
【００４４】
図１２は、図４に示す機器の取り付け構造１のXII−XII線における垂直断面図である。ブラケット２は、図４、図５及び図１２に示す屈曲部２２を有する。屈曲部２２はブラケット変形部２１に設けられる。屈曲部２２はブラケット変形部２１の、カバー４側の外縁部の周方向に関して分割された複数の小片部２１ａのうち、周方向の中央に並ぶ２つの小片部２１ａに設けられる。屈曲部２２は２つの小片部２１ａそれぞれの外縁部に配置される。屈曲部２２では小片部２１ａの端部が上方に向かってクランク状に屈曲する。
【００４５】
カバー４は、図４、図５、図６及び図１２に示す凹部４６を有する。凹部４６はカバー４の内部に設けられる。凹部４６は切り欠き部４１を挟んで横方向の両側それぞれに配置される。凹部４６は、図５における上下方向、すなわち爪部４３の延伸方向と平行な方向に延びる。２つの凹部４６それぞれには屈曲部２２が個別に挿入される。すなわち、カバー４はブラケット２の端部が挿入される凹部４６を有する。
【００４６】
この構成によれば、カバー４の外周縁の中央部において、カバー４が上方に変位することを抑制することができる。したがって、見栄えを向上させることが可能になる。さらに、機器の取り付け構造１からのカバー４の脱落を抑制することが可能になる。
【００４７】
なお、機器Ｅを所定の設置場所に取り付ける際、機器Ｅを支持する台座３が接続され、設置場所の形状に沿って変形可能なブラケット変形部２１を少なくとも一部に有するブラケット２を、設置場所に固定する。続いて、ブラケット変形部２１の変形に従って変形可能なカバー変形部４２を少なくとも一部に有するカバー４を、カバー変形部４２によってブラケット変形部２１を覆って配置する。
【００４８】
カバー４を配置する工程では、カバー４の外側に向かって延びる爪部４３を、台座３とブラケット２との間の収容部７に挿入する。また、カバー変形部４２の弾性力に抗してカバー４の境界部４ａの中央部を下方に押しながら、突出部４４を台座３の第１突起部３２の下方に挿入する。そして、境界部４ａの中央部を押す力を緩めることで、爪部４３の延伸方向と直交する方向に延びる台座３の第１突起部３２を、カバー４の孔部４５に挿入する。そして、ブラケット２の端部の屈曲部２２を、爪部４３の延伸方向と平行な方向に延びるカバー４の凹部４６に挿入する。
【００４９】
また、カバー４を機器の取り付け構造１から取り外す際、カバー変形部４２の弾性力に抗してカバー４の境界部４ａの中央部を下方に押すことで、台座３の第１突起部３２を、カバー４の孔部４５から抜く。そして、カバー４の境界部４ａの中央部を下方に押しながら、カバー４を台座３から離隔する方向（図５の下方向）に引っ張る。このとき、同時に、カバー４の爪部４３を収容部７から引き出し、ブラケット２の屈曲部２２をカバー４の凹部４６から引き出す。
【００５０】
図１３は、図４に示す機器の取り付け構造１のXIII−XIII線における垂直断面図である。図１４は、図１３に示す機器の取り付け構造１のXIV−XIV線における垂直断面図である。なお、図１４では、機器の取り付け構造１の下部の構造の記載を省略した。
【００５１】
台座３は、図５、図１３及び図１４に示す第２突起部３３を有する。第２突起部３３は、カバー４との境界部３ａの中央部に対して横方向の両側それぞれに配置される。２つの第２突起部３３はカバー４の突出部４４が挿入される空間を隔てて離間する。第２突起部３３は板状である。なお、本実施形態では、ケーブルＥｃに隣接する、図５における右側の第２突起部３３がケーブルＥｃを挟んで横方向に分割されているが、これらを一体で構成しても良い。
【００５２】
第２突起部３３は台座３の境界部３ａからカバー４側に向かって突出する。より詳細には、第２突起部３３は、図５における上下方向、すなわち爪部４３の延伸方向と平行な方向に延びる。第２突起部３３はカバー４とブラケット２との間であって、カバー４に隣接して配置される。言い換えると、第２突起部３３はカバー４の下方に、カバー４に隣接して配置される。
【００５３】
この構成によれば、カバー４の台座３との境界部４ａの中央部の左右両側において、カバー４が下方に変位することを抑制することができる。これにより、機器の取り付け構造１の上方から見た中央部周辺において、カバー４と台座３との間に上下方向に段差が生じることを抑制することができる。したがって、見栄えを向上させることが可能になる。
【００５４】
また、第２突起部３３は、図１４に示す傾斜部３３ａを有する。傾斜部３３ａは第２突起部３３の先端に、カバー４に隣接して配置される。傾斜部３３ａを有することで、第２突起部３３は先端に向かうにつれて上下方向の厚みが薄くなる。この構成によれば、機器の取り付け構造１に対してカバー４を着脱する際、カバー４の台座３との境界部４ａが第２突起部３３の傾斜部３３ａ上を滑る。したがって、機器の取り付け構造１に対するカバー４の着脱が容易である。
【００５５】
＜３．その他＞
本明細書中に開示されている種々の技術的特徴は、上記実施形態のほか、その技術的創作の主旨を逸脱しない範囲で種々の変更を加えることが可能である。すなわち、上記実施形態は全ての点で例示であって、制限的なものではないと考えられるべきである。本発明の技術的範囲は上記実施形態の説明ではなく、特許請求の範囲によって示されるものであり、特許請求の範囲と均等の意味及び範囲内に属する全ての変更が含まれると理解されるべきである。
【符号の説明】
【００５６】
１      機器の取り付け構造
２      ブラケット
３      台座
４      カバー
２１      ブラケット変形部
２２      屈曲部
３２      第１突起部
３３      第２突起部
３３ａ      傾斜部
４２      カバー変形部
４３      爪部
４３ｃ      凸部
４４      突出部
４５      孔部
４６      凹部
Ｅ      機器
Ｆ      設置面
【図１】
2020020459.tif 000003
【図２】
2020020459.tif 000004
【図３】
2020020459.tif 000005
【図４】
2020020459.tif 000006
【図５】
2020020459.tif 000007
【図６】
2020020459.tif 000008
【図７】
2020020459.tif 000009
【図８】
2020020459.tif 000010
【図９】
2020020459.tif 000011
【図１０】
2020020459.tif 000012
【図１１】
2020020459.tif 000013
【図１２】
2020020459.tif 000014
【図１３】
2020020459.tif 000015
【図１４】
2020020459.tif 000016